(57)【特許請求の範囲】
【請求項１】
所定のアドレス情報が、
所定の符号系列で乗積され、
第１のバイフェーズ変調が施された後に、第２のバイフェーズ変調が施され、
周波数変調が施され、
前記周波数変調が施された変調信号により、トラックをウォブル状に形成することで記録されている
ことを特徴とする情報記録媒体。
【請求項２】
前記第２のバイフェーズ変調により変調された1チャネルビットは、1/2ウォブル波に対応する
ことを特徴とする請求項１に記載の情報記録媒体。
【請求項３】
前記アドレス情報は、アドレスを表すアドレス情報データビット、および、同期情報を表す同期情報ビットにより構成され、
同一の前記トラック内においては、前記アドレス情報データビットは、第１の符号系列で乗積され、前記同期情報ビットは、前記第１の符号系列とは異なる第２の符号系列で乗積される
ことを特徴とする請求項１に記載の情報記録媒体。
【請求項４】
第１のトラックで利用される前記第１の符号系列は、前記第１のトラックに隣接する第２および第３のトラックで利用される前記第１の符号系列とは異なり、かつ、前記第１のトラックで利用される前記第２の符号系列は、前記第２および前記第３のトラックで利用される前記第２の符号系列とは異なる
ことを特徴とする請求項３に記載の情報記録媒体。
【請求項５】
前記第１の符号系列と前記第２の符号系列は、それぞれ、ｍ種類存在し、
m種類の前記第１の符号系列のそれぞれは、ｑ個の前記アドレス情報を単位として順番に利用されるとともに、m種類の前記第２の符号系列のそれぞれは、前記ｑ個のアドレス情報を単位として順番に利用され、
前記qは、
１＜＝ｑ＜＝（前記情報記録媒体の最内周に記録される前記アドレス情報の個数）
の関係を満たし、
前記ｍは、
ｍ＝「（前記情報記録媒体の最外周に記録される前記アドレス情報の個数）/ｑ」＋２
の関係を満たす
ことを特徴とする請求項４に記載の情報記録媒体。
【請求項６】
前記情報記録媒体は、記録再生層がｒ層存在し、
前記第１の符号系列と前記第２の符号系列は、それぞれ、ｍ×ｒ種類存在する
ことを特徴とする請求項５に記載の情報記録媒体。
【請求項７】
前記第１の符号系列と前記第２の符号系列は、それぞれ、ｍ種類存在し、
m種類の前記第１の符号系列のそれぞれは、ｑ個の前記アドレス情報を単位として順番に利用されるとともに、m種類の前記第２の符号系列のそれぞれは、前記ｑ個のアドレス情報を単位として順番に利用され、
前記qは、
１＜＝ｑ＜＝（前記情報記録媒体の最内周に記録される前記アドレス情報の個数）
の関係を満たし、
前記ｍは、２のべき乗である
ことを特徴とする請求項４に記載の情報記録媒体。
【請求項８】
前記情報記録媒体は、内径が略24ｍｍの位置の近傍が記録開始位置とされ、直径が120ｍｍである光ディスクであり、
前記ｍは、m=8である
ことを特徴とする請求項７に記載の情報記録媒体。
【請求項９】
前記情報記録媒体は、記録再生層がｒ層存在し、
前記第１の符号系列と前記第２の符号系列は、それぞれ、ｍ×ｒ種類存在する
ことを特徴とする請求項７に記載の情報記録媒体。
【請求項１０】
前記符号系列は、所定の１つの系列周期内の位相で自己相関が高く、全ての系列周期内の位相で相互相関が低いものである
ことを特徴とする請求項１に記載の情報記録媒体。
【請求項１１】
前記符号系列は、擬似ランダム系列である
ことを特徴とする請求項１０に記載の情報記録媒体。
【請求項１２】
前記符号系列は、M系列、または、GOLD符号系列のいずれか一方である
ことを特徴とする請求項１１に記載の情報記録媒体。
【請求項１３】
前記符号系列は、前記擬似ランダム系列の最大周期系列のうちの一部分である
ことを特徴とする請求項１１に記載の情報記録媒体。
【請求項１４】
所定のアドレス情報を記録した情報記録媒体を製作する情報記録媒体製作装置において、
前記アドレス情報を生成する生成手段と、
前記生成手段により生成された前記アドレス情報を、所定の符号系列で乗積する乗積手段と、
前記乗積手段により前記符号系列が乗積された前記アドレス情報に、第１のバイフェーズ変調を施す第１のバイフェーズ変調手段と、
前記第１のバイフェーズ変調手段により前記第１のバイフェーズ変調が施された前記アドレス情報に、第２のバイフェーズ変調を施す第２のバイフェーズ変調手段と、
前記第１および前記第２のバイフェーズ変調手段により前記第１および前記第２のバイフェーズ変調が施された前記アドレス情報に、周波数変調を施す周波数変調手段と、
前記周波数変調手段により前記周波数変調が施された前記アドレス情報に対応する変調信号により、トラックをウォブリングすることで、前記アドレス情報を前記情報記録媒体に記録する記録手段と
を備えることを特徴とする情報記録媒体製作装置。
【請求項１５】
前記第２のバイフェーズ変調手段により変調される1チャネルビットは、1/2ウォブル波に対応する
ことを特徴とする請求項１４に記載の情報記録媒体製作装置。
【請求項１６】
前記生成手段は、アドレスを表すアドレス情報データビット、および、同期情報を表す同期情報ビットにより構成される前記アドレス情報を生成し、
前記乗積手段は、同一の前記トラック内においては、前記アドレス情報データビットを、第１の符号系列で乗積し、前記同期情報ビットを、前記第１の符号系列とは異なる第２の符号系列で乗積する
ことを特徴とする請求項１４に記載の情報記録媒体製作装置。
【請求項１７】
前記乗積手段は、第１のトラックにおいては、前記第１のトラックに隣接する第２および第３のトラックで利用するものとは異なる前記第１および前記第２の符号系列を利用する
ことを特徴とする請求項１６に記載の情報記録媒体製作装置。
【請求項１８】
前記乗積手段は、ｍ種類の前記第１の符号系列と、ｍ種類の前記第２の符号系列を用意し、
m種類の前記第１の符号系列のそれぞれを、ｑ個のアドレス情報を単位として順番に利用するとともに、m種類の前記第２の符号系列のそれぞれを、前記ｑ個のアドレス情報を単位として順番に利用し、
前記qは、
１＜＝ｑ＜＝（前記情報記録媒体の最内周に記録される前記アドレス情報の個数）
の関係を満たし、
前記ｍは、
ｍ＝「（前記情報記録媒体の最外周に記録される前記アドレス情報の個数）/ｑ」＋２
の関係を満たす
ことを特徴とする請求項１７に記載の情報記録媒体製作装置。
【請求項１９】
前記情報記録媒体は、記録再生層がｒ層存在し、
前記第１の符号系列と前記第２の符号系列は、それぞれ、ｍ×ｒ種類存在する
ことを特徴とする請求項１８に記載の情報記録媒体製作装置。
【請求項２０】
前記乗積手段は、ｍ種類の前記第１の符号系列と、ｍ種類の前記第２の符号系列を用意し、
m種類の前記第１の符号系列のそれぞれを、ｑ個のアドレス情報を単位として順番に利用するとともに、m種類の前記第２の符号系列のそれぞれを、前記ｑ個のアドレス情報を単位として順番に利用し、
前記qは、
１＜＝ｑ＜＝（前記情報記録媒体の最内周に記録される前記アドレス情報の個数）
の関係を満たし、
前記ｍは、２のべき乗である
ことを特徴とする請求項１７に記載の情報記録媒体製作装置。
【請求項２１】
前記情報記録媒体は、内径が略24ｍｍの位置の近傍が記録開始位置とされ、直径が120ｍｍである光ディスクであり、
前記ｍは、m=8である
ことを特徴とする請求項２０に記載の情報記録媒体製作装置。
【請求項２２】
前記情報記録媒体は、記録再生層がｒ層存在し、
前記第１の符号系列と前記第２の符号系列は、それぞれ、ｍ×ｒ種類存在する
ことを特徴とする請求項２０に記載の情報記録媒体製作装置。
【請求項２３】
前記乗積手段は、所定の１つの系列周期内の位相で自己相関が高く、全ての系列周期内の位相で相互相関が低い前記符号系列を利用する
ことを特徴とする請求項１４に記載の情報記録媒体製作装置。
【請求項２４】
前記符号系列は、擬似ランダム系列である
ことを特徴とする請求項２３に記載の情報記録媒体製作装置。
【請求項２５】
前記符号系列は、M系列、または、GOLD符号系列のいずれか一方である
ことを特徴とする請求項２４に記載の情報記録媒体製作装置。
【請求項２６】
前記符号系列は、前記擬似ランダム系列の最大周期系列のうちの一部分である
ことを特徴とする請求項２４に記載の情報記録媒体製作装置。
【請求項２７】
所定のアドレス情報を記録した情報記録媒体を製作する情報記録媒体製作装置の情報記録媒体制作方法において、
前記アドレス情報を生成する生成ステップと、
前記生成ステップの処理により生成された前記アドレス情報を、所定の符号系列で乗積する乗積ステップと、
前記乗積ステップの処理により前記符号系列が乗積された前記アドレス情報に、第１のバイフェーズ変調を施す第１のバイフェーズ変調ステップと、
前記第１のバイフェーズ変調ステップの処理により前記第１のバイフェーズ変調が施された前記アドレス情報に、第２のバイフェーズ変調を施す第２のバイフェーズ変調ステップと、
前記第１および前記第２のバイフェーズ変調ステップの処理により前記第１および前記第２のバイフェーズ変調が施された前記アドレス情報に、周波数変調を施す周波数変調ステップと、
前記周波数変調ステップの処理により前記周波数変調が施された前記アドレス情報に対応する変調信号により、トラックをウォブリングすることで、前記アドレス情報を前記情報記録媒体に記録する記録ステップと
を含むことを特徴とする情報記録媒体製作方法。
【請求項２８】
所定のアドレス情報が、所定の符号系列で乗積され、第1のバイフェーズ変調が施された後に、第２のバイフェーズ変調が施され、周波数変調が施され、前記周波数変調が施された変調信号により、トラックをウォブル状に形成することで記録されている情報記録媒体から、前記アドレス情報を再生する情報記録媒体再生装置であって、
前記情報記録媒体に記録された前記アドレス情報に対応するウォブル信号を検出する第１の検出手段と、
前記第１の検出手段により検出された前記ウォブル信号から、前記第１のバイフェーズ変調が施された後の前記アドレス情報に対応するチャネルビット列を検出する第２の検出手段と、
前記第２の検出手段により検出された前記チャネルビット列から、前記第１のバイフェーズ変調が施される前の前記アドレス情報に対応するチップデータ列を検出する第３の検出手段と、
前記アドレス情報に乗積された前記符号系列に対応する符号系列を選択する選択手段と、
前記第３の検出手段により検出された前記チップデータ列に、前記選択手段により選択された前記符号系列を乗積して、前記アドレス情報を復元する復元手段と
を備えることを特徴とする情報記録媒体再生装置。
【請求項２９】
前記第２のバイフェーズ変調により変調された1チャネルビットは、前記第１の検出信号により検出される前記ウォブル信号の波形のうちの1/2に対応する
ことを特徴とする請求項２８に記載の情報記録媒体再生装置。
【請求項３０】
前記アドレス情報は、アドレスを表すアドレス情報データビット、および、同期情報を表す同期情報ビットにより構成され、
同一の前記トラック内においては、前記アドレス情報データビットは、第１の符号系列で乗積され、前記同期情報ビットは、前記第１の符号系列とは異なる第２の符号系列で乗積されており、
前記選択手段は、前記復元手段により前記アドレス情報データビットが復元される場合、前記第１の符号系列を選択し、前記復元手段により前記同期情報ビットが復元される場合、前記第２の符号系列を選択する
ことを特徴とする請求項２８に記載の情報記録媒体再生装置。
【請求項３１】
前記情報記録媒体において、第１のトラックで利用される前記第１の符号系列として、前記第１のトラックに隣接する第２および第３のトラックで利用される前記第１の符号系列とは異なるものが利用され、かつ、前記第１のトラックで利用される前記第２の符号系列は、前記第２および前記第３のトラックで利用される前記第２の符号系列とは異なるものが利用されており、
前記選択手段は、前記復元手段により前記第１のトラックに対応する前記アドレス情報が復元される場合、前記第１のトラックに対応する前記第１または前記第２の符号系列を選択する
ことを特徴とする請求項３０に記載の情報記録媒体再生装置。
【請求項３２】
前記第１の符号系列と前記第２の符号系列は、それぞれ、ｍ種類存在し、
m種類の前記第１の符号系列のそれぞれは、ｑ個のアドレス情報を単位として順番に利用されるとともに、m種類の前記第２の符号系列のそれぞれは、前記ｑ個のアドレス情報を単位として順番に利用されており、
前記qは、
１＜＝ｑ＜＝（前記情報記録媒体の最内周に記録される前記アドレス情報の個数）
の関係を満たし、
前記ｍは、
ｍ＝「（前記情報記録媒体の最外周に記録される前記アドレス情報の個数）/ｑ」＋２
の関係を満たしている
ことを特徴とする請求項３１に記載の情報記録媒体再生装置。
【請求項３３】
前記情報記録媒体は、記録再生層がｒ層存在し、
前記第１の符号系列と前記第２の符号系列は、それぞれ、ｍ×ｒ種類存在する
ことを特徴とする請求項３２に記載の情報記録媒体再生装置。
【請求項３４】
前記第１の符号系列と前記第２の符号系列は、それぞれ、ｍ種類存在し、
m種類の前記第１の符号系列のそれぞれは、ｑ個のアドレス情報を単位として順番に利用されるとともに、m種類の前記第２の符号系列のそれぞれは、前記ｑ個のアドレス情報を単位として順番に利用されており、
前記qは、
１＜＝ｑ＜＝（前記情報記録媒体の最内周に記録される前記アドレス情報の個数）
の関係を満たしており、
前記ｍは、２のべき乗である
ことを特徴とする請求項３１に記載の情報記録媒体再生装置。
【請求項３５】
前記情報記録媒体は、内径が略24ｍｍの位置の近傍が記録開始位置とされ、直径が120ｍｍである光ディスクであり、
前記ｍは、m=8である
ことを特徴とする請求項３４に記載の情報記録媒体再生装置。
【請求項３６】
前記情報記録媒体は、記録再生層がｒ層存在し、
前記第１の符号系列と前記第２の符号系列は、それぞれ、ｍ×ｒ種類存在する
ことを特徴とする請求項３４に記載の情報記録媒体再生装置。
【請求項３７】
前記符号系列は、所定の１つの系列周期内の位相で自己相関が高く、全ての系列周期内の位相で相互相関が低いものである
ことを特徴とする請求項２８に記載の情報記録媒体再生装置。
【請求項３８】
前記符号系列は、擬似ランダム系列である
ことを特徴とする請求項３７に記載の情報記録媒体再生装置。
【請求項３９】
前記符号系列は、M系列、または、GOLD符号系列のいずれか一方である
ことを特徴とする請求項３８に記載の情報記録媒体再生装置。
【請求項４０】
前記符号系列は、前記擬似ランダム系列の最大周期系列のうちの一部分である
ことを特徴とする請求項３８に記載の情報記録媒体再生装置。
【請求項４１】
所定のアドレス情報が、所定の符号系列で乗積され、第1のバイフェーズ変調が施された後に、第２のバイフェーズ変調が施され、周波数変調が施され、前記周波数変調が施された変調信号により、トラックをウォブル状に形成することで記録されている情報記録媒体から、前記アドレス情報を再生する情報記録媒体再生装置の情報記録媒体再生方法であって、
前記情報記録媒体に記録された前記アドレス情報に対応するウォブル信号を検出する第１の検出ステップと、
前記第１の検出ステップの処理により検出された前記ウォブル信号から、前記第１のバイフェーズ変調が施された後の前記アドレス情報に対応するチャネルビット列を検出する第２の検出ステップと、
前記第２の検出ステップの処理により検出された前記チャネルビット列から、前記第１のバイフェーズ変調が施される前の前記アドレス情報に対応するチップデータ列を検出する第３の検出ステップと、
前記アドレス情報に乗積された前記符号系列に対応する符号系列を選択する選択ステップと、
前記第３の検出ステップの処理により検出された前記チップデータ列に、前記選択ステップの処理により選択された前記符号系列を乗積して、前記アドレス情報を復元する復元ステップと
を含むことを特徴とする情報記録媒体再生方法。
【発明の詳細な説明】
【０００１】
【発明の属する技術分野】
本発明は、情報記録媒体、情報記録媒体製作装置および方法、並びに情報記録媒体再生装置および方法に関し、特に、情報記録媒体の欠陥やクロストークの影響によらず、アドレスを確実に再生することができるようにした情報記録媒体、情報記録媒体製作装置および方法、並びに情報記録媒体再生装置および方法に関する。
【０００２】
【従来の技術】
光ディスクは、ランダムアクセスが可能であり、フレキシブルディスクなどの磁気による記録媒体より記録密度が高い記録媒体である。従って、近年、光ディスクは、デジタルの静止画や動画などのような大容量のデータを記録する記録媒体として注目を集めている。
【０００３】
このような光ディスクのうち、例えば、DVR（Data and Video Recording）ディスクと称される高密度光ディスクは、情報記録層にグルーブ（凹部）とランド（凸部）と称されるトラックを有しており、その記録媒体上の各位置を示すクラスタ番号やセクタ番号で所定の周波数のキャリアを変調し、その変調信号に対応して、グルーブの形状を予めウォブリング（蛇行）させておき、そのグルーブの（エッジの）形状でアドレス情報や同期信号情報を表すようにしている。
【０００４】
なお、このような、ウォブリングされたグルーブの形状により表されたアドレス情報や同期信号情報等を、以下、ウォブルアドレスと称する。
【０００５】
このウォブルアドレスについて、DVRディスクを例として、さらに詳しく説明する。
【０００６】
DVRディスクの記録再生単位は、１RUB（Recording Unit Block）とされている。
【０００７】
DVRディスクのmsk（Minimum Shift Keying）方式によるアドレスフォーマットにおいては、１RUB相当の領域に、３つのアドレスユニット（以下、ADIPと記述する）がウォブル（wobble）として記録される。
【０００８】
ADIPは、８３ビットで構成され、その８３ビットのうちの６０ビットに、実際に必要なID情報が、誤り訂正符号のパリティも含めて記録され、また、その８３ビットのうちの他の４ビットに、４種類の同期信号情報が記憶される（１ビットに、１種類の同期信号情報が記憶される）。
【０００９】
ADIPを構成する８３ビットのうちの１ビットは、５６ウォブルにより形成される。なお、１ウォブルは、記録再生データの６９チャネルビット（channel bit）分に相当する。
【００１０】
ADIPを構成する８３ビットのうちの１ビット分、即ち、５６ウォブルの中に、その記録位置における記録トラックのアドレス情報やタイミング情報がmsk変調されている部分が、局所的に数箇所存在する。
【００１１】
従って、DVRを再生する再生装置は、データ再生時に、DVRに形成されたウォブルに対応するウォブル信号を再生し、再生したウォブル信号からアドレス情報等を復調することにより、アドレス制御等を実行することができる。
【００１２】
【発明が解決しようとする課題  】
しかしながら、上述したように、msk変調は局所的になされているため、このmsk変調が施された部分に、ゴミや傷などの欠陥があると、再生装置は、ウォブルアドレスを取得することができないという第１の課題があった。
【００１３】
また、このmsk変調が施された部分の近傍に、クロストーク（cross talk）の影響があると、再生装置は、正しいウォブルアドレスを取得することができないか、または、正しいウォブルアドレスを取得できたとしても、それらの正しいウォブルアドレスを取得するまでに時間がかかるという第２の課題があった。
【００１４】
そこで、ある範囲にわたって得られる位相を積分してウォブルアドレスを得る手法も提案されている。この手法においては、その積分範囲をゴミや傷の大きさに比べて大きくできるため、上述した第１の課題に対しては効果がある。
【００１５】
しかしながら、この手法でも、上述した第２の課題を解決することは困難である。
【００１６】
本発明は、このような状況に鑑みてなされたものであり、情報記録媒体の欠陥やクロストークの影響によらず、アドレスを確実に再生することができるようにするものである。
【００１７】
【課題を解決するための手段】
本発明の情報記録媒体は、所定のアドレス情報が、所定の符号系列で乗積され、第１のバイフェーズ変調が施された後に、第２のバイフェーズ変調が施され、周波数変調が施され、周波数変調が施された変調信号により、トラックをウォブル状に形成することで記録されていることを特徴とする。
【００１８】
第２のバイフェーズ変調により変調された1チャネルビットは、1/2ウォブル波に対応するようにすることができる。
【００１９】
アドレス情報は、アドレス情報データビット、および、同期情報を表す同期情報ビットにより構成され、同一のトラック内においては、アドレス情報データビットは、第１の符号系列で乗積され、同期情報ビットは、第１の符号系列とは異なる第２の符号系列で乗積されるようにすることができる。
【００２０】
第１のトラックで利用される第１の符号系列は、第１のトラックに隣接する第２および第３のトラックで利用される第１の符号系列とは異なり、かつ、第１のトラックで利用される第２の符号系列は、第２および第３のトラックで利用される第２の符号系列とは異なるようにすることができる。
【００２１】
第１の符号系列と第２の符号系列は、それぞれ、ｍ種類存在し、m種類の第１の符号系列のそれぞれは、ｑ個のアドレス情報を単位として順番に利用されるとともに、m種類の第２の符号系列のそれぞれは、ｑ個のアドレス情報を単位として順番に利用され、qは、１＜＝ｑ＜＝（情報記録媒体の最内周に記録されるアドレス情報の個数）の関係を満たし、ｍは、ｍ＝「（情報記録媒体の最外周に記録されるアドレス情報の個数）/ｑ」＋２の関係を満たすようにすることができる。さらに、情報記録媒体は、記録再生層がｒ層存在し、第１の符号系列と第２の符号系列は、それぞれ、ｍ×ｒ種類存在するようにすることができる。
【００２２】
第１の符号系列と第２の符号系列は、それぞれ、ｍ種類存在し、m種類の第１の符号系列のそれぞれは、ｑ個のアドレス情報を単位として順番に利用されるとともに、m種類の第２の符号系列のそれぞれは、ｑ個のアドレス情報を単位として順番に利用され、qは、１＜＝ｑ＜＝（情報記録媒体の最内周に記録されるアドレス情報の個数）の関係を満たし、ｍは、２のべき乗であるようにすることができる。さらに、情報記録媒体は、内径が略24ｍｍの位置の近傍が記録開始位置とされ、直径が120ｍｍである光ディスクであり、ｍは、m=8であるようにすることができる。さらにまた、情報記録媒体は、記録再生層がｒ層存在し、第１の符号系列と第２の符号系列は、それぞれ、ｍ×ｒ種類存在するようにすることができる。
【００２３】
符号系列は、所定の１つの系列周期内の位相で自己相関が高く、全ての系列周期内の位相で相互相関が低いものであるようにすることができる。
【００２４】
符号系列は、擬似ランダム系列であるようにすることができる。
【００２５】
符号系列は、M系列、または、GOLD符号系列のいずれか一方であるようにすることができる。
【００２６】
符号系列は、擬似ランダム系列の最大周期系列のうちの一部分であるようにすることができる。
【００２７】
本発明の情報記録媒体においては、所定の情報アドレスが、所定の符号系列で乗積され、第１のバイフェーズ変調が施された後に、第２のバイフェーズ変調が施され、周波数変調が施され、周波数変調が施された変調信号により、トラックをウォブル状に形成することで情報記録媒体に記録されている。
【００２８】
本発明の情報記録媒体製作装置は、アドレス情報を生成する生成手段と、生成手段により生成されたアドレス情報を、所定の符号系列で乗積する乗積手段と、乗積手段により符号系列が乗積されたアドレス情報に、第１のバイフェーズ変調を施す第１のバイフェーズ変調手段と、第１のバイフェーズ変調手段により第１のバイフェーズ変調が施されたアドレス情報に、第２のバイフェーズ変調を施す第２のバイフェーズ変調手段と、第１および第２のバイフェーズ変調手段により第１と第２のバイフェーズ変調が施されたアドレス情報に、周波数変調を施す周波数変調手段と、周波数変調手段により周波数変調が施されたアドレス情報に対応する変調信号により、トラックをウォブリングすることで、アドレス情報を情報記録媒体に記録する記録手段とを備えることを特徴とする。
【００２９】
第２のバイフェーズ変調手段により変調される1チャネルビットは、1/2ウォブル波に対応するようにすることができる。
【００３０】
生成手段は、アドレス情報データビット、および、同期情報を表す同期情報ビットにより構成されるアドレス情報を生成し、乗積手段は、同一のトラック内においては、アドレス情報データビットを、第１の符号系列で乗積し、同期情報ビットを、第１の符号系列とは異なる第２の符号系列で乗積するようにすることができる。
【００３１】
乗積手段は、第１のトラックにおいては、第１のトラックに隣接する第２および第３のトラックで利用するものとは異なる第１および第２の符号系列を利用するようにすることができる。
【００３２】
乗積手段は、ｍ種類の第１の符号系列と、ｍ種類の第２の符号系列を用意し、m種類の第１の符号系列のそれぞれを、ｑ個のアドレス情報を単位として順番に利用するとともに、m種類の第２の符号系列のそれぞれを、ｑ個のアドレス情報を単位として順番に利用し、qは、１＜＝ｑ＜＝（情報記録媒体の最内周に記録されるアドレス情報の個数）の関係を満たし、ｍは、ｍ＝「（情報記録媒体の最外周に記録されるアドレス情報の個数）/ｑ」＋２の関係を満たすようにすることができる。さらに、情報記録媒体は、記録再生層がｒ層存在し、第１の符号系列と第２の符号系列は、それぞれ、ｍ×ｒ種類存在するようにすることができる。
【００３３】
または、乗積手段は、ｍ種類の第１の符号系列と、ｍ種類の第２の符号系列を用意し、m種類の第１の符号系列のそれぞれを、ｑ個のアドレス情報を単位として順番に利用するとともに、m種類の第２の符号系列のそれぞれを、ｑ個のアドレス情報を単位として順番に利用し、qは、１＜＝ｑ＜＝（情報記録媒体の最内周に記録されるアドレス情報の個数）の関係を満たし、ｍは、２のべき乗であるようにすることができる。さらに、情報記録媒体は、内径が略24ｍｍの位置の近傍が記録開始位置とされ、直径が120ｍｍである光ディスクであり、ｍは、m=8であるようにすることができる。さらにまた、情報記録媒体は、記録再生層がｒ層存在し、第１の符号系列と第２の符号系列は、それぞれ、ｍ×ｒ種類存在するようにすることができる。
【００３４】
乗積手段は、所定の１つの系列周期内の位相で自己相関が高く、全ての系列周期内の位相で相互相関が低い前記符号系列を利用するようにすることができる。
【００３５】
符号系列は、擬似ランダム系列であるようにすることができる。
【００３６】
符号系列は、M系列、または、GOLD符号系列のいずれか一方であるようにすることができる。
【００３７】
符号系列は、擬似ランダム系列の最大周期系列のうちの一部分であるようにすることができる。
【００３８】
本発明の情報記録媒体製作装置の情報記録媒体制作方法は、アドレス情報を生成する生成ステップと、生成ステップの処理により生成されたアドレス情報を、所定の符号系列で乗積する乗積ステップと、乗積ステップの処理により符号系列が乗積されたアドレス情報に、第１のバイフェーズ変調を施す第１のバイフェーズ変調ステップと、第１のバイフェーズ変調ステップの処理により第１のバイフェーズ変調が施されたアドレス情報に、第２のバイフェーズ変調を施す第２のバイフェーズ変調ステップと、第１および第２のバイフェーズ変調ステップの処理により第１と第２のバイフェーズ変調が施されたアドレス情報に、周波数変調を施す周波数変調ステップと、周波数変調ステップの処理により周波数変調が施されたアドレス情報に対応する変調信号により、トラックをウォブリングすることで、アドレス情報を情報記録媒体に記録する記録手段とを含むことを特徴とする。
【００３９】
本発明の情報記録媒体製作装置および方法においては、生成されたアドレス情報が、所定の符号系列で乗積され、第１および第２のバイフェーズ変調が施され、周波数変調が施され、その周波数変調が施された後の変調信号により、トラックをウォブリングすることで、アドレス情報が情報記録媒体に記録される。
【００４０】
本発明の情報記録媒体再生装置は、所定のアドレス情報が、所定の符号系列で乗積され、第１のバイフェーズ変調が施された後に、第２のバイフェーズ変調が施され、周波数変調が施され、周波数変調が施された変調信号により、トラックがウォブリングされることで、記録された情報記録媒体から、アドレス情報を再生する情報記録媒体再生装置であって、情報記録媒体に記録されたアドレス情報に対応するウォブル信号を検出する第１の検出手段と、第１の検出手段により検出されたウォブル信号から、第１のバイフェーズ変調が施された後のアドレス情報に対応するチャネルビット列を検出する第２の検出手段と、第２の検出手段により検出されたチャネルビット列から、第１のバイフェーズ変調が施される前のアドレス情報に対応するチップデータ列を検出する第３の検出手段と、アドレス情報に乗積された符号系列に対応する符号系列を選択する選択手段と、第３の検出手段により検出されたチップデータ列に、選択手段により選択された符号系列を乗積して、アドレス情報を復元する復元手段とを備えることを特徴とする。
【００４１】
第２のバイフェーズ変調により変調された1チャネルビットは、第１の検出信号により検出されるウォブル信号の波形のうちの1/2に対応するようにすることができる。
【００４２】
アドレス情報は、アドレス情報データビット、および、同期情報を表す同期情報ビットにより構成され、同一のトラック内においては、アドレス情報データビットは、第１の符号系列で乗積され、同期情報ビットは、第１の符号系列とは異なる第２の符号系列で乗積されており、選択手段は、復元手段によりアドレス情報データビットが復元される場合、第１の符号系列を選択し、復元手段により同期情報ビットが復元される場合、第２の符号系列を選択するようにすることができる。
【００４３】
情報記録媒体において、第１のトラックで利用される第１の符号系列として、第１のトラックに隣接する第２および第３のトラックで利用される第１の符号系列とは異なるものが利用され、かつ、第１のトラックで利用される第２の符号系列は、第２および第３のトラックで利用される第２の符号系列とは異なるものが利用されており、選択手段は、復元手段により第１のトラックに対応するアドレス情報が復元される場合、第１のトラックに対応する第１または第２の符号系列を選択するようにすることができる。
【００４４】
第１の符号系列と第２の符号系列は、それぞれ、ｍ種類存在し、m種類の第１の符号系列のそれぞれは、ｑ個のアドレス情報を単位として順番に利用されるとともに、m種類の第２の符号系列のそれぞれは、ｑ個のアドレス情報を単位として順番に利用されており、qは、１＜＝ｑ＜＝（情報記録媒体の最内周に記録されるアドレス情報の個数）の関係を満たし、ｍは、ｍ＝「（情報記録媒体の最外周に記録されるアドレス情報の個数）/ｑ」＋２の関係を満たしているようにすることができる。さらに、情報記録媒体は、記録再生層がｒ層存在し、第１の符号系列と第２の符号系列は、それぞれ、ｍ×ｒ種類存在するようにすることができる。
【００４５】
または、第１の符号系列と第２の符号系列は、それぞれ、ｍ種類存在し、m種類の第１の符号系列のそれぞれは、ｑ個のアドレス情報を単位として順番に利用されるとともに、m種類の第２の符号系列のそれぞれは、ｑ個のアドレス情報を単位として順番に利用されており、qは、１＜＝ｑ＜＝（情報記録媒体の最内周に記録されるアドレス情報の個数）の関係を満たしており、ｍは、２のべき乗であるようにすることができる。さらに、情報記録媒体は、内径が略24ｍｍの位置の近傍が記録開始位置とされ、直径が120ｍｍである光ディスクであり、ｍは、m=8であるようにすることができる。さらにまた、情報記録媒体は、記録再生層がｒ層存在し、第１の符号系列と第２の符号系列は、それぞれ、ｍ×ｒ種類存在するようにすることができる。
【００４６】
符号系列は、所定の１つの系列周期内の位相で自己相関が高く、全ての系列周期内の位相で相互相関が低いものであるようにすることができる。
【００４７】
符号系列は、擬似ランダム系列であるようにすることができる。
【００４８】
符号系列は、M系列、または、GOLD符号系列のいずれか一方であるようにすることができる。
【００４９】
符号系列は、擬似ランダム系列の最大周期系列のうちの一部分であるようにすることができる。
【００５０】
本発明の情報記録媒体再生装置の情報記録媒体再生方法は、所定のアドレス情報が、所定の符号系列で乗積され、第１のバイフェーズ変調が施された後に、第２のバイフェーズ変調が施され、周波数変調が施され、周波数変調が施された変調信号により、トラックをウォブル状に形成することで記録されている情報記録媒体から、アドレス情報を再生する情報記録媒体再生方法であって、情報記録媒体に記録されたアドレス情報に対応するウォブル信号を検出する第１の検出ステップと、第１の検出ステップの処理により検出されたウォブル信号から、第１のバイフェーズ変調が施された後のアドレス情報に対応するチャネルビット列を検出する第２の検出ステップと、第２の検出ステップの処理により検出されたチャネルビット列から、第１のバイフェーズ変調が施される前のアドレス情報に対応するチップデータ列を検出する第３の検出ステップと、アドレス情報に乗積された符号系列に対応する符号系列を選択する選択ステップと、第３の検出ステップの処理により検出されたチップデータ列に、選択ステップの処理により選択された符号系列を乗積して、アドレス情報を復元する復元ステップとを含むことを特徴とする。
【００５１】
本発明の情報記録媒体再生装置および方法においては、所定のアドレス情報が、所定の符号系列で乗積され、第1のバイフェーズ変調が施された後に、第2のバイフェーズ変調が施され、周波数変調が施され、周波数変調が施された変調信号により、トラックをウォブル状に形成することで記録されている情報記録媒体から、そのアドレス情報が再生される。即ち、情報記録媒体に記録されたアドレス情報に対応するウォブル信号が検出され、検出されたウォブル信号から、第１のバイフェーズ変調が施された後のアドレス情報に対応するチャネルビット列が検出され、検出されたチャネルビット列から、第１のバイフェーズ変調が施される前のアドレス情報に対応するチップデータ列が検出される。また、アドレス情報に乗積された符号系列に対応する符号系列が選択される。そして、検出されたチップデータ列に、選択された符号系列が乗積されて、アドレス情報が復元される。
【００５２】
【発明の実施の形態】
本出願人は、本発明が適用される情報記録媒体のウォブルアドレスフォーマットを考案するにあたり、以下の知見を得た。
【００５３】
即ち、上述したようなウォブルアドレスを再生する場合、所定の符号系列に従って、所定の範囲にわたって得られる位相を積分すると、その符号系列に対応するウォブルアドレスを取得することが可能であるとともに、その符号系列に対応しない積分位相情報を０に近づけることが可能になる。従って、所望の符号系列以外の影響を排除し、所望の符号系列に沿ったウォブルアドレスの積分値だけを得ることが可能になる。
【００５４】
換言すると、排除すべき影響をもとに符号系列を用意すれば、その影響を排除して、所望のウォブルアドレスを再生する（取得する）ことが可能になる。
【００５５】
例えば、クロストークの影響を排除したい場合、隣接トラック毎に各々異なる符号系列を用意する。そして、全ての符号系列のそれぞれに従って積分を行えば、全ての符号系列のそれぞれに対応したウォブルアドレスの積分値だけが得られる。
【００５６】
ウォブルアドレスを再生するためのトラッキングがかけられている場合、着目トラックからの信号が最も大きいので、全ての符号系列のそれぞれに対応したウォブルアドレスの積分値のうちの最も大きいものを、着目トラックに対応するウォブルアドレスとすることができる。これにより、他の符号系列、即ち、隣接トラックからの影響を排除することが可能になる。
【００５７】
以上の知見に基づいて考案された、本発明が適用される情報記録媒体のウォブルアドレスフォーマットについて説明する。
【００５８】
本発明が適用される情報記録媒体、例えば、光ディスク（光磁気ディスクを含む）を製作する場合、はじめに、光ディスクに記録するウォブルアドレスをADIPを単位として生成し、そのウォブルアドレス（ADIPのそれぞれ）に対して、所定の符号系列で乗積をした後、変調を施す。
【００５９】
具体的には、ウォブルアドレスに対して、所定の符号系列が乗積された後、第1のバイフェーズ（PE(Phase Encoding)）変調と、第2のバイフェーズ（PE）変調の２回の変調が施される。第１のバイフェーズ変調は、ウォブルを振る方向を均等にするために（DC（Direct Current）成分を除去するために）行われる。第２のバイフェーズ変調は、ウォブル周期でPLL（Phase-locked loop）位相を合わせるために行われる。
【００６０】
なお、このような符号系列の乗積（符号拡散）は、通信などのスペクトラム拡散方式にも利用されているが、スペクトラム拡散方式は、１次変調した後に符号拡散（乗積）を行っている。これに対して、本発明においては、上述したように、符号系列の乗積が行われた後、２回のバイフェーズ変調が行われる。即ち、本発明においては、符号系列の乗積（符号拡散）は、スペクトラム拡散を行うことを目的として行われているものではなく、他の信号の干渉を排除することを目的として行われているものである。
【００６１】
第１と第２のバイフェーズ（PE）変調を行った後、周波数（FM（Frequency Modulation））変調を行い、その変調波形によりトラック（光ディスクのグルーブ）をウォブリングさせて形成させることで、ウォブルアドレスが光ディスクに記録される。
【００６２】
なお、従来、ウォブルアドレスを記録する場合、ADIPの区切りなどのタイミングを取得したり、同期をとるために、ユニークパターン（変調の"out of rule"）が一般的に利用される。
【００６３】
しかしながら、上述したように、符号系列で乗積した後、変調を行って、ウォブルアドレスを記録する場合、変調の"out of rule"は、符号系列での乗積結果、PLL、または、トラッキングなどに影響を与えることがある。
【００６４】
そこで、本発明においては、後述するように、ADIP（ウォブルアドレス）は、所定のアドレス情報を表すアドレス情報ビットと、所定の同期情報を表す同期ビットとで構成されるが、アドレス情報データビットに用いられる符号系列と、同期情報ビットに用いられる符号系列とは、異なるものとされる。
【００６５】
また、アドレス情報データビットと、同期情報ビットのそれぞれは、上述したように、クロストークの影響を考え、トラックごとに異なる符号系列とされる。
【００６６】
なお、同期情報ビットは、同期を取るために利用されるビットである。同期が取れれば、符号系列の位相（タイミング）やその時刻で用いられている符号系列の種類も判別可能であるので、同期確認やアドレス情報データビットの再生もより確実に行うことが可能になる。
【００６７】
また、符号系列としては、相関特性が優れたもの、即ち、所定の１つの系列位相で自己相関が高く、あらゆる他の系列位相で相互相関が低いものが好適である。
【００６８】
具体的には、M系列に代表される擬似ランダム系列が好適である。
【００６９】
ただし、M系列は、相関特性が優れているが、その種類が多くない。そこで、この例においては、符号系列として、GOLD系列を利用するものとする。
【００７０】
GOLD系列は、M系列のプリファードペアと、その排他的論理和を演算することで得られたものとで構成される。GOLD系列の種類として、それを生成する論理回路に含まれるシフトレジスタの段数がｋとされると、プリファードペアの相互の位相をずらすことにより生成される(2^k-1)種類に対して、ペアの２種類が加えられた数、即ち、(2^k+1)種類を得ることができる。なお、GOLD系列の詳細については、後述する。
【００７１】
また、実際に利用する符号系列として、擬似ランダム系列の最大周期系列(2^k-1)の長さのものを利用するのが好適であるが、フォーマットの構成上、この長さを採用することができない場合、その最大周期系列(2^k-1)内の連続した部分を利用するとよい。
【００７２】
また、符号系列の個数（種類）は、特に限定されないが、以下に示される種類が好適である。
【００７３】
即ち、光ディスクの最内周の隣接トラックで異なる符号系列とされるように、式（１）を満たす正の整数ｑの単位で符号系列が変えられるとよい。ただし、式（１）のaiは、光ディスクの最内周に入るADIPの個数を表している。
【００７４】
１＜＝ｑ＜＝ａi  ・・・（１）
【００７５】
また、光ディスクの最外周の隣接トラックで異なる符号系列とされるように、式（２）を満たす、ｍ種類のアドレス情報データビット用符号系列、および、ｍ種類の同期情報ビット用符号系列の合計２ｍ種類の符号系列が用意されるとよい。ただし、式（２）のaoは、光ディスクの最外周に入るADIPの個数（一般的に記録再生の半径に比例する個数）を表している。
【００７６】
ｍ＝「ａo／ｑ」＋２・・・（２）
【００７７】
即ち、式（２）を満たす、ｍ種類のアドレス情報データビット用符号系列、および、ｍ種類の同期情報ビット用符号系列の合計２ｍ種類の符号系列を用意し、これらの符号系列を、式（１）を満たすｑ個のADIPを単位として順番に用いればよい。
【００７８】
一般的に、正の整数ｑは、光ディスクの最内周に入るADIPの個数ａiを超えない範囲の最大値とした方が、アドレス情報データビット用および同期情報ビット用符号系列の種類ｍは、一般的に少なくなるが、ADIPの番号がある特定の単位で桁上がりする場合は、その限りではない。従って、アドレス情報符号系列の選択が、ADIPの番号により行われる場合、ハードウエアの構成上、アドレス情報データビット用および同期情報ビット用符号系列の種類ｍは、２のべき乗が好適である。
【００７９】
このように、本発明のウォブルアドレスフォーマットにおいては、ウォブルアドレス（ADIP）は、特定の符号系列で乗積され、第1のバイフェーズ（PE）変調が施された後、さらに第2のバイフェーズ（PE）変調が施され、周波数（FM）変調が施され、その周波数変調の変調波形により、トラックをウォブル状に形成することで、光ディスクに記録される。
【００８０】
このとき、後述するように、符号系列の1チップを第２のバイフェーズ（PE）変調の2チャネルビットに対応させ、第２のバイフェーズ（PE）変調の1チャネルビットを、1/2ウォブル波に対応させる。即ち、符号系列の1チップを、1ウォブル波に対応させる。
【００８１】
また、光ディスク上の隣接トラックで用いる符号系列として、異なるものを複数種類用意し、それらを順番に用いる。
【００８２】
さらに、符号系列として、M系列、若しくは、GOLD系列などの擬似ランダム系列、または、その一部を用いる。
【００８３】
これにより、隣接トラックからのクロストークの影響は、相関の低い符号系列の信号により抑制することが可能になる。
【００８４】
なお、記録再生層が多数存在する光ディスクが、将来利用されることが見込まれている。このような光ディスクに対しては、その記録再生層がｒ層（記録再生層の数がｒ個）とされると、２ｍ×ｒ種類の符号系列を用意し、各記録再生層のそれぞれに対し、上述した２ｍ種類の符号系列を適用すればよい。これにより、隣接トラックのみならず他の層からのクロストークの影響も抑制することが可能になる。
【００８５】
次に、図１乃至図５を参照して、本発明が適用される光ディスクのウォブルアドレスフォーマットについて、具体的に説明する。
【００８６】
なお、この具体例においては、本発明のウォブルアドレスフォーマットの理解を容易なものとするために、各種情報（ビット等）は、DVRのmsk方式に対応させているが、上述したウォブルアドレスフォーマットが守られる限り、以下の例に限定されるものではない。
【００８７】
光ディスクの記録再生単位は、特に限定されないが、この例においては、上述したDVRのmsk方式に対応させて、１RUB（Recording Unit Block）とされる。
【００８８】
例えば、図１の例では、データ１は、１０個のRUB（RUBU+0乃至RUBU+9）に分割されて構成されている。
【００８９】
ADIPの個数は、特に限定されないが、例えば、図１の例では、DVRのmsk方式に対応させて、１RUB毎に３個とされている。即ち、この例においては、1RUB相当の領域に、3つのADIP２−１、ADIP２−２、およびADIP２−３がウォブルとして記録される。
【００９０】
ADIPの構成は、特に限定されないが、例えば、図１の例では、DVRのmsk方式に対応させて、ADIP２−１乃至２−３のそれぞれは、８３ビットで構成されている（図におけるb0乃至b82のビットで構成されている）。
【００９１】
具体的には、例えば、８３個のビットb0乃至b82のうちの６０ビットに、実際に必要なID情報が、誤り訂正符号のパリティも含めて記録される。なお、以下、この６０ビットのそれぞれのビットを、アドレス情報データビットと称する。
【００９２】
また、８３個のビットb0乃至b82のうちの３ビット（アドレス情報データビットを除く３ビット）に、１つの同期信号情報が記録される。この同期信号情報は、各ADIP２−１乃至２−３のそれぞれに、４つ設けられるものとする。即ち、８３個のビットb0乃至b82の中で、アドレス情報データビット（６０ビット）を除く１２ビット（３ビット（同期信号情報のビット数）×４（同期信号情報の個数））に、４つの同期信号が記録される。
【００９３】
この同期信号情報は、１ビットの同期情報ビットと、２ビットの同期位置情報（以下、この２ビットのそれぞれを、同期位置ビットと称する）とから構成される。
【００９４】
なお、以下、これら４つの同期信号情報のそれぞれを、シンク_0乃至シンク_4と記述する。
【００９５】
８３個のビットb0乃至b82のうちの残りの１１ビットは、ダミー(dummy)とされる。
【００９６】
即ち、この例においては、例えば、８３個のビットb0乃至b82の中の、先頭の１２ビットb0乃至b11が、シンク_0乃至シンク_4とされ、それに続く６０個のビットb12乃至b71が、アドレス情報データビットとされ、最後の１１ビットb72乃至b82がダミーとされる。
【００９７】
８３個のビットb0乃至b82のそれぞれは、上述したように、所定の符号系列で乗積される。なお、符号系列のチップ数は、限定されないが、この例においては、２８チップとされる。例えば、図１の例では、ビットb0に対して、２８チップの符号系列が乗積され、２８個のチップデータc0乃至c28が生成される。
【００９８】
より具体的には、この例においては、例えば、アドレス情報データビットは、符号系列dn（nは、０乃至m-1（ｍは、上述した符系列の種類の値）のうちのいずれかの整数値）で、シンク_0乃至シンク_4のそれぞれに含まれる同期情報ビットは、値 0 が符号系列snで、シンク_0乃至シンク_4のそれぞれに含まれる同期位置ビットは、符号系列dnで、ダミーは、値 1 が符号系列snで、それぞれ乗積される。
【００９９】
また、ウォブルアドレスが記録される記録媒体が、例えば、DVRディスクである場合、DVRディスクは、内径がほぼ24ｍｍの位置の近辺が記録開始位置となる120ｍｍ径のディスクであるので、最内周には、２RUB分弱のADIP（実際には、5個のADIP）が記録される。
【０１００】
従って、隣接トラックで異なる符号とされるように、符号を変える単位ｑは、上述した式（１）を満たす値、即ち、１乃至５のうちのいずれかの正の整数とされる。
【０１０１】
ただし、ユーザデータの記録再生単位であるRUB単位毎に、ADIP番号の下位ビットの桁上がりが行われるので、この例においては、例えば、単位ｑは、1RUB分、即ち、３とされる。
【０１０２】
また、アドレス情報データビット用の符号系列dn、および、同期情報ビット用の符号系列snの種類ｍは、上述した式（２）に、ao＝12.5（=ai（５）×2.5）（最外周のトラックの長さは、最内周のトラックの長さの略2.5倍となる）、および、q=3を代入して演算すると、ｍ＝6となるが、上述したように、この値mは、２のべき乗の値が好適であるので、この例においては、例えば、ｍ＝8とされる。
【０１０３】
従って、nの値は、０から７までの８種類の値とされ、これらの値が、1RUB、即ち、3ADIP単位で更新される。
【０１０４】
この例においては、例えば、符号系列dn（ｎは、０乃至7のうちのいずれかの値）、および、符号系列snのそれぞれは、シフトレジスタの段数ｋ=5 のGOLD系列の最大周期系列３１チップのうち、連続した２８チップの部分が用いられる。また、シフトレジスタの段数ｋ=5 のGOLD系列自体は、３３種類存在するが、そのうちの８種類が、符号系列snに、また、他の８種類が、符号系列dnに、それぞれ割り当てられる。
【０１０５】
ADIPを構成する各ビットのそれぞれに、これらの符号系列sn、または、符号系列dnのいずれかが乗積されると、それらの乗積結果である２８個のチップデータ（図２の例では、チップデータc0乃至c27）が得られる。このチップデータのそれぞれは、第１のバイフェーズ（PE）変調が施され、２チャネルビットになる。
【０１０６】
例えば、図３の例では、図２に示されるチップデータc0に対して、第1のバイフェーズ（PE）変調が施された結果である２チャネルビット（図３中、「０」，「１」の順で記述されている２つのチャネルビット）が示されている。
【０１０７】
さらに、上述したように、第１のバイフェーズPE変調結果である２チャネルビットのそれぞれは、第２のバイフェーズ（PE）変調が施され、さらに２チャネルビットになる。
【０１０８】
例えば、図４の例では、図３に示される「０」のチャネルビットに対して、第２のバイフェーズ（PE）変調が施された結果である２チャネルビット（図４中、左方から、「０」，「１」の順で記述されている２つのチャネルビット）、および、図３に示される「１」のチャネルビットに対して、第２のバイフェーズ（PE）変調が施された結果である２チャネルビット（図４中、左方から、「０」，「１」の順で記述されている２つのチャネルビットに続く、「１」、「０」の順で記述されている２つのチャネルビット）が示されている。
【０１０９】
そして、第2のバイフェーズ（PE）変調結果であるチャネルビットが、周波数変調されて、１チャネルビットが1/2ウォブルになる。
【０１１０】
即ち、図５に示されるような、ウォブル信号１１または１２が生成され、光ディスクには、このウォブル信号１１または１２に対応するグルーブが形成される。ただし、ウォブル信号１１または１２の１周期は、上述したように、記録再生データ（音声データや画像データなどのデータ）の６９チャネルビットに相当するが、図４の「０」のチャネルビットが周波数変調された１/2ウォブルに相当する記録再生データのチャネルビット数と、図４の「１」のチャネルビットが周波数変調された１/2ウォブルに相当する記録再生データのチャネルビット数は異なる。
【０１１１】
例えば、ウォブル信号１１が生成された場合、図４の「０」のチャネルビットが周波数変調された１/2ウォブルは、記録再生データの３６チャネルビット分に相当する。これに対して、図４の「１」のチャネルビットが周波数変調された１/2ウォブルは、記録再生データの３３チャネルビット分に相当する。
【０１１２】
なお、この1/2ウォブルの長さの差異は、後述するように、図５のウォブル信号１１または１２から、図４または図３のチャネルビットを検出するためのものである。従って、両者（図４の「０」のチャネルビットが周波数変調された１/2ウォブルと、「１」のチャネルビットが周波数変調された１/2ウォブル）の長さのそれぞれは、同一長（この例では、３４．５チャネルビットに相当する長さ）とならない長さであれば、特に限定されない。
【０１１３】
このようにして、この例においては、DVRのmsk方式に対応させて、1RUBあたり3ADIPが記録され、1ADIPが、DVRのmsk方式の83×56波と同一の83×28×2×2×1/2波のウォブルからなる。
【０１１４】
上述した本発明の情報記録媒体（本発明のウォブルアドレスフォーマットに従って、ウォブルアドレスが記録された情報記録媒体）においては、高密度化をはかり、トラックピッチをつめた情報記録媒体であっても、ゴミや傷などの欠陥や、隣接トラック（あるいは他の層のトラック）のウォブル信号 からのクロストークの影響によらず、正確なウォブルアドレス、即ち、正確なアドレス情報やタイミング情報を得ることが可能になる。
【０１１５】
次に、図６を参照して、本発明が適用される情報記録媒体製作装置としてのウォブルアドレスカッティング装置について説明する。
【０１１６】
なお、この例においては、説明の簡略上、ウォブルアドレスカッティング装置３１は、例えば、上述した図１乃至図５に示されるウォブルアドレスアドレスフォーマットに従って、ウォブルアドレスを光ディスクに記録する。ただし、このウォブルアドレスフォーマットは、上述したように、図１乃至図５に示されるものに限定されない。
【０１１７】
ウォブルアドレスカッティング装置３１には、上述したADIPを生成するADIP生成部４１、ADIP生成部４１により生成されたADIPを構成する各ビットのそれぞれに対応する符号系列を選択し（生成し）、そのADIPを構成する各ビットのそれぞれに対して、選択した符号系列を乗積する乗積部４２、乗積部４２より供給されるチップデータに対して、第1のバイフェーズ（PE）変調を施すバイフェーズ変調部４３、バイフェーズ変調部４３より供給されたチャネルビットに対して、第2のバイフェーズ（PE）変調を施すバイフェーズ変調部４４、バイフェーズ変調部４４により供給されたチャネルビットに対して、周波数変調を施す周波数変調部４５が設けられている。
【０１１８】
乗積部４２には、符号系列を生成する論理回路が設けられている。
【０１１９】
この論理回路の種類は、特に限定されないが、この例においては、上述したように、符号系列として、シフトレジスタの段数ｋ=5 のGOLD系列の最大周期系列３１チップのうち、連続した２８チップの部分が用いられるので、例えば、図７に示されるようなGOLD系列生成回路６１とされる。
【０１２０】
GOLD系列生成回路６１には、第１のM系列を生成するM系列生成回路M１、第２のM系列を生成するM系列生成回路M２、および、M系列生成回路M１により生成されたM系列と、M系列生成回路M２により生成されたM系列との排他的論理和（以下、EX-ORと記述する）を演算するEX-OR演算部８５が設けられている。
【０１２１】
M系列生成回路M1には、フリップフロップ回路７１乃至７５、および、EX-OR演算部７６が設けられている。フリップフロップ回路７１乃至７５は、５段のシフトレジスタを形成する。EX-OR演算部７６は、フリップフロップ回路７２の出力ｘ3と、フリップフロップ回路７５の出力ｘ0とのEX-ORを演算し、その演算結果x5をフリップフロップ回路７１に供給する。即ち、M系列生成回路M1は、シフトレジスタの段数ｋ=5 のM系列を生成する。
【０１２２】
M系列生成回路M２には、フリップフロップ回路７７乃至８１、および、EX-OR回路８２乃至８４が設けられている。フリップフロップ回路７７乃至８１は、５段のシフトレジスタを形成する。EX-OR回路８４は、フリップフロップ回路８１の出力ｘ0と、フリップフロップ回路８０の出力ｘ1とのEX-ORを演算し、その演算結果をEX-OR回路８３に供給する。EX-OR回路８３は、フリップフロップ回路７９の出力ｘ2と、EX-OR回路８４の演算結果とのEX-ORを演算し、その演算結果をEX-OR回路８２に供給する。EX-OR回路８２は、フリップフロップ回路７８の出力ｘ3と、EX-OR回路８２の演算結果とのEX-ORを演算し、その演算結果x5をフリップフロップ回路７７に供給する。即ち、M系列生成回路M2は、シフトレジスタの段数ｋ=5 のM系列を生成する。
【０１２３】
従って、GOLD系列生成回路６１により生成されるGOLD系列は、M系列生成回路M1により生成されたM系列と、M系列生成回路M２により生成されたM系列とのEX-ORをとったもの、並びに、M系列生成回路M1およびM2のそれぞれにより生成されたものとされる。
【０１２４】
また、GOLD系列生成回路６１により生成されるGOLD系列の種類は、
M系列生成回路M1の系列周期初期値  ＝
フリップフロップ初期値 (x4,x3,x2,x1,x0)=(0,0,0,0,1)
により生成されるM系列に対して、M系列生成回路Ｍ２の系列周期初期値を、
(x4,x3,x2,x1,x0)=(0,0,0,0,1)から(1,1,1,1,1)まで変えて生成されるM系列を、EX-OR回路８５によりEX-ORした３１種類と、M系列生成回路M1およびM2のそれぞれにより生成された２種類（M系列生成回路M２の出力を０に固定し、M系列生成回路M1のみの出力として生成される符号系列と、M系列生成回路M１の出力を０に固定し、M系列生成回路M２のみの出力として生成される符号系列）の合計３３種類とされる。
【０１２５】
ただし、この例においては、実際に使用される符号系列は、上述したように、この３３種類のうちの１６種類とされる。
【０１２６】
図６に戻り、ウォブルアドレスカッティング装置３１にはまた、光ディスクの原盤４９を回転させるスピンドルモータ５０、および、スピンドルモータ５０より供給される所定のフィードバック量に基づいて、スピンドルモータ５０を、例えば、一定線速度（CLV（Constant Linear Velocity））で回転駆動させるように制御するスピンドルサーボ部５１が設けられている。
【０１２７】
ウォブルアドレスカッティング装置３１にはさらにまた、スピンドルモータ５０により光ディスクの原盤４９が回転されている状態で、レーザビームを出射するレーザ出射部４７、周波数変調部４５により出力された変調信号（ウォブル信号）により、レーザ出射部４７により出射されたレーザビームを偏向させ（ウォブルさせ）、AO（Acoust Optical）変調を施すAO偏向部４６、AO偏向部４６により偏向された（ウォブルされた）レーザビームを、光ディスクの原盤４９に照射させる照射部４８（対物レンズを含む）が設けられている。
【０１２８】
光ディスクの原盤４９は、照射部４８により照射されたレーザビームによりカッティングされ、光ディスクの原盤４９にトラックが形成される。即ち、光ディスクの原盤４９には、ADIP生成部４１により生成されたADIPに対応する、ウォブリングされたグルーブ（相対的にランド）が形成される。
【０１２９】
次に、図８のフローチャートを参照して、ウォブルアドレスカッティング装置３１の動作を説明する。
【０１３０】
はじめに、ステップＳ１において、ADIP生成部４１は、ADIPを生成する。
【０１３１】
即ち、ADIP生成部４１は、図１に示されるように、1RUB相当の領域に、3つのADIP２−１乃至２−３をその順番で生成し、乗積部４２に順次供給する。
【０１３２】
具体的には、この例においては、上述したように、ADIP生成部４１は、８３個のビットb0乃至b82（３ビットで構成されるシンク_0乃至シンク_4、６０個のアドレス情報データビット、および１１ビットのダミー）で構成されるADIP２−１乃至２−３を生成する。
【０１３３】
ステップＳ２において、乗積部４２は、ADIP生成部４１により供給されたADIPに対応する符号系列を生成し、そのADIPに対応する符号系列で、ADIPを構成する各ビットのそれぞれを乗積する。
【０１３４】
具体的には、この例においては、上述したように、アドレス情報データビットは、符号系列dn（ｎは、０乃至7のうちのいずれかの値）で、シンク_0乃至シンク_4のそれぞれに含まれる同期情報ビットは、値 0 が符号系列snで、シンク_0乃至シンク_4のそれぞれに含まれる同期位置ビットは、符号系列dnで、ダミーは値 1 が符号系列snで、それぞれ乗積される。
【０１３５】
また、この例においては、上述したように、符号系列dn、および、符号系列snのそれぞれは、GOLD系列生成回路６１により生成されるGOLD系列のうちの最大周期系列３１チップのうち、連続した28チップの部分が用いられ、かつ、GOLD系列生成回路６１により生成されるGOLD系列のうち１６種類のいずれかとされる。
【０１３６】
さらに、この例においては、符号系列dn、および、符号系列snのnの値は、1RUB、即ち、3ADIP単位で更新される。
【０１３７】
例えば、いま、乗積部４２は、ADIP２−１を構成するビットb0乃至b82のうちのb0に対して、符号系列dn、または、符号系列snを乗積したとすると、図１に示されるように、２８個のチップデータc0乃至c27が生成され、チップデータc0乃至c27のそれぞれが、その順番で順次バイフェーズ変調部４３に供給される。
【０１３８】
例えば、いま、図２に示されるチップデータc0がバイフェーズ変調部４３に供給されたものとすると、ステップＳ３において、バイフェーズ変調部４３は、そのチップデータc0に対して、第1のバイフェーズ（PE）変調を行う。
【０１３９】
即ち、チップデータc0は、第1のバイフェーズ（PE）変調が施されて、例えば、図３に示されるような、「０」，「１」の順で記述されている２つのチャネルビットになる。これらの「０」，「１」の順で記述されている２つのチャネルビットは、「０」，「１」の順にバイフェーズ変調部４４に供給される。
【０１４０】
ステップＳ４において、バイフェーズ変調部４４は、バイフェーズ変調部４３により供給されるチャネルビットに対して、第２のバイフェーズ（PE）変調を行う。
【０１４１】
即ち、図３に示される「０」のチャネルビットは、第２のバイフェーズ（PE）変調が施されて、図４に示される「０」，「１」の順で記述されている２つのチャネルビットになる。これらの「０」，「１」の順で記述されている２つのチャネルビットは、「０」，「１」の順に周波数変調部４５に供給される。
【０１４２】
その後、図３に示される「１」のチャネルビットは、図３に示される「０」のチャネルビットと同様に、第２のバイフェーズ（PE）変調が施されて、図４に示される「１」，「０」の順で記述されている２つのチャネルビット（図４に示される「０」，「１」の順で記述されている２つのチャネルビットに続く２つのチャネルビット）になる。これらの「１」，「０」の順で記述されている２つのチャネルビットは、「１」，「０」の順に周波数変調部４５に供給される。
【０１４３】
即ち、チップデータc1は、２回のバイフェーズ（PE）変調が施されて、図４に示される「０」，「１」，「１」，「０」の順で記述されている４つのチャネルビットになる。
【０１４４】
これらの図４に示される「０」，「１」，「１」，「０」の順で記述されている４つのチャネルビットは、「０」，「１」，「１」，「０」の順で周波数変調部４５に供給される。
【０１４５】
ステップＳ５において、周波数変調部４５は、バイフェーズ変調部４４より順次供給されてくるチャネルビットのそれぞれに対して、周波数変調を行い、ステップＳ６において、ウォブル信号（変調信号）を生成し、出力する（周波数変調による変調信号としてウォブル信号が生成される）。
【０１４６】
即ち、周波数変調部４５は、図５に示されるようなウォブル信号１１またはウォブル信号１２を生成し、出力する。
【０１４７】
ステップＳ７において、AO偏向部４６は、ウォブル信号１１またはウォブル信号１２により、ADIPを光ディスクの原盤４９に記録させる。
【０１４８】
具体的には、AO偏向部４６は、レーザ出射部４７により出射されたレーザビームを、周波数変調部４５より出力されたウォブル信号１１またはウォブル信号１２により偏向させ（ウォブルさせ）、AO（Acoust Optical）変調を施した後、照射部４８を介して照射させることで、ADIPを光ディスクの原盤４９に記録する。即ち、光ディスクの原盤４９には、ADIP生成部４１により生成されたADIPに対応する（ウォブル信号１１またはウォブル信号１２に対応する）ウォブル形状のグルーブ（ランド）が形成される。
【０１４９】
なお、グルーブとランドは相対的なものであり、原盤４９を転写することで製作される光ディスクにおいては、原盤４９からの転写回数が奇数か偶数かによって変化する。
【０１５０】
また、原盤４９においても、ポジタイプのホトレジストを使用するか、ネガタイプのホトレジストを使用するかによって、グルーブとランドは変化する。
【０１５１】
このように、ウォブルアドレスカッティング装置３１により製作された光ディスクにおいては、高密度化をはかり、トラックピッチをつめた光ディスクであっても、ゴミや傷などの欠陥や、隣接トラック（他の層のトラックを含む）のウォブル信号 からのクロストークの影響によらず、正確なウォブルアドレス、即ち、正確なアドレス情報やタイミング情報を得ることが可能になる。
【０１５２】
次に、図９を参照して、ウォブルアドレス再生装置について説明する。
【０１５３】
この例においては、ウォブルアドレス再生装置１０１は、図６のウォブルアドレスカッティング装置３１により生成された原盤４９を転写することで生成された光ディスク１３１に記録されたウォブルアドレスを再生するものとする。
【０１５４】
ウォブルアドレス再生装置１０１は、一般的に、光ディスク１３１に対してデータの記録および再生を行う光ディスクドライブ（図示せず）内に搭載される。
【０１５５】
ウォブルアドレス再生装置１０１には、レーザビームを光ディスク１３１に照射させ、その反射光を検出する光学ヘッド部１２６、光学ヘッド部１２６で検出された反射光より、ウォブル波形信号（radial push pull 信号）を検出する信号検出部１１１、および、信号検出部１１１から供給される所定のフィードバック量に基づいて、光学ヘッド部１２６を所定の位置に配置するとともに、スピンドルモータ１２７を介して光ディスク１３１を所定の速度（例えば、一定線速度）で回転させるように制御するサーボ部１１２が設けられている。
【０１５６】
これらの信号検出部１１１、サーボ部１１２、および、光学ヘッド部１２６は、光ディスクドライブ本体が、光ディスク１３１に対してデータの記録および再生を行う場合にも利用される。即ち、信号検出部１１１は、ウォブル波形信号以外に、再生信号、フォーカスエラー信号、トラッキングエラー信号等も検出する。
【０１５７】
ウォブルアドレス再生装置１０１にはまた、信号検出部１１１により検出されたウォブル信号に、LPF（Low Pass Filter）をかけ（低域成分を抽出し）、２値化するLPF/２値化部１１３、LPF/２値化部１１３により２値化されたウォブル信号のエッジにPLL（Phase-Locked Loop）をかけてクロックを抽出するPLL部１１４、PLL部１１４により抽出されたクロックに基づいて、LPF/２値化部１１３により２値化されたウォブル信号のエッジ間隔を計測する（1ウォブルの周期を記録再生データのチャネルクロックで６９カウントする）カウンタ（６９進）１１５が設けられている。なお、カウンタ（６９進）１１５の初期化については、後述する。
【０１５８】
ウォブルアドレス再生装置１０１にはさらに、カウンタ（６９進）１１５により計測された、２値化されたウォブル信号のエッジ間隔と、参照値ｆを比較して、上述した第１のバイフェーズ(PE)変調が施された後のチャネルビット列（この例では、例えば、図３に示されるチャネルビット列）を検出する比較部１１６、比較部１１６により検出されたチャネルビット列から、第１のバイフェーズ（PE）変調が施される前のチップデータ（この例では、例えば、図２に示されるチップデータc0乃至c27）を検出する検出部１１７が設けられている。
【０１５９】
ウォブルアドレス再生装置１０１にはさらにまた、検出部１１７により検出されたチップデータを蓄積するチップ列蓄積部１１９、および、チップ列蓄積部１１９に記憶された２８個のチップデータからなるチップデータ列（この例では、例えば、図２に示されるチップデータc0乃至c27からなるチップデータ列）に対して、８種類の同期ビット用の符号系列（上述した符号系列snに対応する符号系列）を乗積する乗積部群１２０が設けられている。
【０１６０】
この乗積部群１２０の各乗積部それぞれにより算出された乗積値の中で、十分小さな乗積値が得られた符号系列が、そこで同期情報ビットを再生するのに用いる符号系列となり、また、その乗積値が得られたタイミングが、符号系列の同期タイミングとなる。このようにして、乗積部群１２０は、符号系列内の周期（ADIPを構成するデータビットの1ビット（例えば、図１に示されるビットb0乃b82のうちの１ビット））の同期検出を行う。
【０１６１】
ウォブルアドレス再生装置１０１にはまた、カウンタ（２進）１１８、カウンタ（２８進）１２１、カウンタ（８３進）１２４、および、ADIPカウンタ１２５が設けられている。
【０１６２】
カウンタ（２進）１１８は、第１のバイフェーズ（PE）変調が施される前のチップデータに対して、ウォブル単位で２カウントする。即ち、カウンタ（２進）１１８は、カウンタ（６９進）が６９カウントすると、１カウントする（カウントアップする）。
【０１６３】
カウンタ（２８進）１２１は、符号系列内の周期（ADIPを構成するデータビットの1ビット（例えば、図１に示されるビットb0乃b82のうちの１ビット）内の周期））を、1チップ単位で２８カウントする。即ち、カウンタ（２８進）１２１は、カウンタ（２進）１１８が2カウントすると、１カウントする（カウントアップする）。
【０１６４】
カウンタ（２８進）１２１は、そのカウント値を乗積部１２２と乗積部群１２０のそれぞれに供給する。即ち、乗積部１２２と乗積部群１２０のそれぞれは、カウンタ（２８進）１２１のカウント値に基づいて、チップ列蓄積部１１９に記憶されたチップデータを２８個取得する（２８個のチップデータからなるチップデータ列を取得する）。
【０１６５】
カウンタ（８３進）１２４は、ADIP内の周期を、ADIPを構成するデータビット（例えば、図１に示されるビットb0乃b82）８３個分をカウントする（１データビット単位で８３カウントする）。即ち、カウンタ（８３進）１２４は、カウンタ（２８進）１２１が２８カウントすると、１カウントする（カウントアップする）。
【０１６６】
ADIPカウンタ１２５は、ADIP単位でカウントし、そのカウント値を後述するデータビット符号系列選択部１２３に供給する。即ち、ADIPカウンタ１２５は、カウンタ（８３進）１２４が８３カウントすると、１カウントし（カウントアップし）、そのカウント値をデータビット符号系列選択部１２３に供給する。
【０１６７】
なお、カウンタ（２進）１１８、カウンタ（２８進）１２１、カウンタ（８３進）１２４、および、ADIPカウンタ１２５の初期化については、後述する。
【０１６８】
ウォブルアドレス再生装置１０１にはさらにまた、アドレス情報データビットに用いられる符号系列（上述した符号系列dnに対応する符号系列）、および、同期ビット用の符号系列（上述した符号系列snに対応する符号系列）を選択するデータビット符号系列選択部１２３、および、チップ列蓄積部１１９より供給されるチッブデータ列（２８個のチップデータからなるチップデータ列）に対して、データビット符号系列選択部１２３により選択された符号列を乗積して、ADIPを構成する各データビットのそれぞれを再生する乗積部１２２が設けられている。
【０１６９】
次に、図１０と図１１のフローチャートを参照して、ウォブルアドレス再生装置１０１の動作を説明する。
【０１７０】
ステップＳ２１において、LPF/２値化部１１３は、信号検出部１１１により検出されたウォブル信号を２値化し、PLL部１１４とカウンタ（６９進）１１５のそれぞれに供給する。
【０１７１】
ステップＳ２２において、PLL部１１４は、LPF/２値化部１１３より供給された、２値化されたウォブル信号のエッジにPLLをかけてクロック（記録再生データのチャネルビットに対応する周波数と位相のクロック）を抽出し、カウンタ（６９進）１１５に供給する。
【０１７２】
ステップＳ２３において、カウンタ（６９進）１１５は、PLL部１１４より供給されたクロックに基づいて、LPF/２値化部１１３より供給された、2値化されたウォブル信号のエッジ間隔を計測し、その計測値を比較部１１５に供給する。
【０１７３】
具体的には、この例においては、カウンタ（６９進）１１５は、1ウォブル内のタイミングが特定されたとき、即ち、ウォブルのゼロクロスのうちの立ち上がりエッジ（図５参照）がLPF/２値化部１１３より供給されたとき、初期化される。初期化される値は、特に限定されないが、この例においては、「0」とされる。
【０１７４】
初期化された後、カウンタ（６９進）１１５は、1ウォブルの周期を、記録再生データのチャネルビットを単位として６９カウントし、ウォブルのゼロクロスのうちの立ち下がりエッジに対応するカウント値（２値化されたウォブル信号の値が、「１」から「０」に変わる直前の「１」に対応するカウント値）を比較部１１６に供給する。
【０１７５】
ステップＳ２４において、比較部１１６は、カウンタ（６９進）１１５により計測された、２値化されたウォブル信号のエッジ間隔（供給されたカウント値）と、参照値ｆを比較して、図３に示されるような、第１のバイフェーズ(PE)変調が施された後のチャネルビット列を検出し、検出部１１７に供給する。
【０１７６】
具体的には、上述したように（図５に示されるように）、この例の１ウォブルは、記録再生データの６９チャネルビット相当の長さとされるが、1/2ウォブルは、６９チャネルビットの1/2である３４．５チャネルビット相当の長さとはされず、それより長い長さ（図５の例では、３６チャネルビット相当の長さ）か、または、短い長さ（図５の例では、３３チャネルビット相当の長さ）とされる。
【０１７７】
そこで、この例においては、例えば、図４に示されるようなチャネルビット列から図５のウォブル信号１１が生成され、かつ、参照値ｆが、３４．５（記録再生データの６９チャネルビット（１ウォブルの周期）の１／２に相当する値）とされると、比較部１１６は、カウンタ（６９進）１１５より供給されるウォブルのゼロクロスのうちの立ち下がりエッジに対応するカウント値と、参照値ｆ（３４．５）とを比較し、その比較の結果に基づいて、図３に示されるような、第１のバイフェーズ(PE)変調が施された後のチャネルビット列を検出し、検出部１１７に供給する。
【０１７８】
より具体的には、この例においては、図５に示されるように、カウンタ（６９進）１１５より供給されるウォブルのゼロクロスのうちの立ち下がりエッジに対応するカウント値は、「３６」、または、「３３」とされる。
【０１７９】
即ち、カウント値が「３６」は、図５のウォブル信号１１のうちの、図中左方に示される１ウォブルのゼロクロスのうちの立ち下がりエッジに対応するカウント値である。換言すると、カウント値「３６」は、図３に示される「０」のチャネルビット（図４に示される「０１」のチャネルビット列）に相当するカウント値である。
【０１８０】
これに対して、カウント値が「３３」は、図５のウォブル信号１１のうちの、図中右方に示される１ウォブルの０クロス立ち下りエッジに対応するカウント値である。換言すると、カウント値「３３」は、図３に示される「１」のチャネルビット（図４に示される「１０」のチャネルビット列）に相当するカウント値である。
【０１８１】
従って、比較部１１６は、カウンタ（６９進）１１５より供給されるウォブル信号の立ち下がりエッジに対応するカウント値と、参照値ｆとを比較し、カウント値が参照値ｆより大きい場合（この例では、カウント値「３６」＞参照値「３４．５」の場合）、「０」を検出する。これに対して、比較部１１６は、その比較の結果が、カウント値が参照値ｆより小さい場合（この例では、カウント値「３３」＜参照値「３４．５」の場合）、「１」を検出する。
【０１８２】
このようにして、比較部１１６は、図３に示されるような、第１のバイフェーズ（PE）変調が施された後のチャネルビット列を検出し、検出部１１７に供給する。
【０１８３】
ただし、この例においては、後述するように、検出部１１７は、図４に示されるような、第２のバイフェーズ（PE）変調が施された後のチャネルビットを参照して、同期検出を行う。
【０１８４】
従って、この例においては、比較部１１６は、実際には、図４に示されるような第２のバイフェーズ（PE）変調が施された後のチャネルビット列を検出し（カウント値「３６」＞参照値「３４．５」の場合、図４に示されるような「０１」を検出し、これに対して、カウント値「３３」＜参照値「３４．５」の場合、図４に示されるような「１０」を検出し）、検出部１１７に供給するものとする。
【０１８５】
ステップＳ２５において、検出部１１７は、比較部１１６より供給されたチャネルビット列から、第１のバイフェーズ（PE）変調が施される前のチップデータ（この例では、例えば、図２に示されるチップデータc0乃至c27）を検出するとともに、カウンタ（２進）１１８を初期化する。
【０１８６】
換言すると、カウンタ（２進）１１８は、1チップデータ内のタイミングが特定されたとき、即ち、検出部１１７により１チップデータの同期検出がなされ、それが通知されたとき、初期化される。初期化される値は、特に限定されないが、この例においては、「0」とされる。
【０１８７】
具体的には、同じチップデータが連続するチップデータ列、例えば、「00」は、第１および第２のバイフェーズ（PE）変調が施されると、「01100110」のチャネルビットデータ列となり、また、「11」は、第１および第２のバイフェーズ（PE）変調が施されると、「10011001」となる。従って、チップデータの同期が取られていないと、検出部１１７は、これらのチャネルビット列（「01100110」、および「10011001」）から、チップデータを検出することができない。
【０１８８】
これに対して、変化があるチップデータ列、例えば、図１２に示されるようなチップデータ列２０１、即ち、「01」は、第１のバイフェーズ（PE）変調が施されると、チャネルビット列２０２、即ち、「0110」となる。
【０１８９】
このチャネルビット列２０２は、第２のバイフェーズ（PE）変調が施されると、チャネルビット列２０３、即ち、「01101001」となる。同様に、「10」は、「10010110」となる。
【０１９０】
即ち、チップデータに変化がある場合、その変化のある部分の２つのチップデータに対して、第１および第２のバイフェーズ(PE)変調が施された後のチャネルビット列２０３の中には、チャネルビットが３回連続して変化する部分（図１２の例では、「1010」）２０４が存在する。このようなチャネルビットが３回連続して変化する部分２０４は、チップデータが「01」または「10」と変化するところのみで、「101（0）」または「010（1）」として現われる。
【０１９１】
従って、検出部１１７は、比較部１１６より供給されるチャネルビット列の中から、チャネルビットが３回連続して変化する部分２０４を検出し、検出した部分２０４の真中のタイミング２０５を、同期位置２０６とする。即ち、検出部１１７は、タイミング２０５を検出することで、チップデータの同期検出を行い、チップデータを検出する。
【０１９２】
なお、擬似ランダムの符号系列内には、このようなチップデータが変化する部分は、必ず一定以上存在する。
【０１９３】
図１０に戻り、ステップＳ２６において、乗積部群１２０は、符号系列の同期タイミングを検出し（同期検出し）、それをカウンタ（２８進）１２１とカウンタ（８３進）１２４のそれぞれに通知し、カウンタ（２８進）１２１を初期化する。
【０１９４】
換言すると、カウンタ（２８進）１２１は、1符号系列内の周期が特定されたとき、即ち、乗積部群１２０により同期検出がなされたとき、初期化される。初期化される値は、特に限定されないが、この例においては、「0」とされる。
【０１９５】
具体的には、乗積部群１２０は、上述したように、チップ列蓄積部１１９に記憶された２８個のチップデータからなるチップデータ列（この例では、例えば、図２に示されるチップデータc0乃至c27からなるチップデータ列）に対して、８種類の同期ビット用の符号系列（上述した符号系列snに対応する符号系列）のそれぞれを乗積する。そして、乗積部群１２０は、それら全ての乗積値（８個の乗積値）の中で、十分小さな乗積値が得られた符号系列を、そこで同期情報ビットを再生するのに用いる符号系列とし、また、その乗積値が得られたタイミングを、符号系列の同期タイミングとして、同期検出の結果を出力する。
【０１９６】
ステップＳ２７において、データビット符号系列選択部１２３は、乗積部１２０により検出された同期タイミングに基づいて、上述した符号系列dnに対応する８個の符号系列、または符号系列snに対応する８個の符号系列の中から、次にデータビットとして再生されるチップデータ列に乗積される符号系列を選択し、乗積部１２２に供給する。
【０１９７】
ステップＳ２８において、乗積部１２２は、チップ列蓄積部１１９より供給されたチップデータ列に、データビット符号系列選択部１２３により選択された（供給された）符号系列を乗積して、データビット（例えば、図１に示されるようなADIP２−１を構成するビットb0乃至b82のうちのいずれかのビット）を再生する。
【０１９８】
ステップＳ２８の処理で、所定の３ビットのビットデータが再生されると、乗積部１２２と乗積部群１２０は、カウンタ（８３進）１２４を初期化する。
【０１９９】
換言すると、カウンタ（８３進）１２４は、1符号系列内の周期が特定され、即ち、乗積部群１２０により同期検出がなされ、かつ、この同期検出がなされた同期情報ビットに続く２ビットのデータビット（乗積部１２２により再生されるデータビット）が得られたとき、その２ビットの内容に基づいて初期化される。
【０２００】
具体的には、この例においては、例えば、上述したシンク_0乃至シンク_3のそれぞれが、同期情報ビット（１ビット）、および、同期位置ビット（２ビット）の順番で構成されるものとすると、同期情報ビットに続く２ビットのデータビットは、同期位置ビットである。
【０２０１】
初期化される値は、特に限定されないが、この例においては、上述したように、ADIPを構成する８３ビットの中で、先頭の１２ビットにシンク_0乃至シンク_3が割り当てられ、次の６０ビット（アドレス情報データビット）に必要なID情報が割り当て、最後の１１ビットに、ダミービットが割り当てられているので、例えば、以下のような値とされる。
【０２０２】
ただし、この例においては、例えば、同期位置ビット（２ビット）は、シンク_0の場合、「００（２進数）」とされ（０を表し）、シンク_１の場合、「０１（２進数）」とされ（１を表し）、シンク_２の場合、「１０（２進数）」とされ（２を表し）、かつ、シンク_３の場合、「１１（２進数）」とされる（３を表す）ものとする。
【０２０３】
即ち、乗積部群１２０により同期検出がなされ、かつ、続く２ビットのデータビット（同期位置ビット）が０を表す場合（シンク_0が検出された場合）、初期化される値は３とされる。
【０２０４】
乗積部群１２０により同期検出がなされ、かつ、続くデータビット２ビットが１を表す場合（シンク_１が検出された場合）、初期化される値は６とされる。
【０２０５】
乗積部群１２０により同期検出がなされ、かつ、続くデータビット２ビットが２を表す場合（シンク_２が検出された場合）、初期化される値は９とされる。
【０２０６】
乗積部群１２０により同期検出がなされ、かつ、続くデータビット２ビットが３を表す場合（シンク_３が検出された場合）、初期化される値は１２とされる。
【０２０７】
ステップＳ３０において、乗積部１２２は、アドレス値が得られたか否かを判定し、アドレス値が得られていないと判定した場合、その処理を、ステップＳ２７に戻し、それ以降の処理を繰り返す。
【０２０８】
即ち、ステップＳ２７乃至Ｓ３０の処理が繰り返されることにより、最初のADIP（図１の例では、ADIP２−１）に対する、シンク_0乃至シンク３、および、６０ビットのアドレス情報データビットが、その順番で再生され、それらの６０ビットのアドレス情報データビットが再生されると、ID情報を表すアドレス値が得られる。
【０２０９】
このとき、ステップ３０において、乗積部１２２は、アドレス値が得られたと判定する。そして、乗積部１２２は、図１１のステップＳ３１において、そのアドレス値をADIPカウンタ１２５に通知することで、ADIPカウンタ１２５を初期化する。
【０２１０】
換言すると、ADIPカウンタ１２５は、乗積部１２２より、６０ビットのアドレス情報データビットが再生され、再生されたそれらの６０ビットのアドレス情報データビットに対応するアドレス値が供給されたとき、初期化される。初期化される値は、特に限定されないが、この例においては、そのアドレス値とされる。実際には、再生された６０ビットのアドレス情報データビットに対して、誤り検出または誤り訂正が施された結果から得られるアドレス値が、ADIPカウンタ１２５に供給される。
【０２１１】
その後、ADIPカウンタ１２５は、そのカウント値を、データビット符号系列選択部１２３に供給する。
【０２１２】
ステップＳ３２において、データビット符号系列選択部１２３は、ADIPカウンタ１２５より供給されたADIPカウンタ１２５のカウント値に基づいて、符号系列dnに対応する８個の符号系列、または符号系列snに対応する８個の符号系列の中から、次にデータビットとして再生されるチップデータ列に乗積される符号系列を選択し、乗積部１２２に供給する。
【０２１３】
ステップＳ３３において、乗積部１２２は、チップ列蓄積部１１９より供給されたチップデータ列に、データビット符号系列選択部１２３により選択された（供給された）符号系列を乗積して、データビット（例えば、図１に示されるようなADIP２−１を構成するビットb0乃至b82のうちのいずれかのビット）を再生する。
【０２１４】
そして、ADIPを構成する８３個のデータビットが全て再生されると、ステップＳ３４において、ADIPカウンタ１２５は、ADIPカウンタ１２５のカウント値をカウントアップし、そのカウント値をデータビット符号系列選択部１２３に供給する。
【０２１５】
ステップＳ３５において、乗積部１２２は、全てのデータビットが再生されたか否かを判定し、全てのデータビットがまだ再生されていないと判定した場合、その処理を、ステップＳ３２に戻し、それ以降の処理を繰り返す。即ち、乗積部１２２は、ADIPカウンタ１２５が初期化されるまでは、乗積部群１２０により同期検出がなされた同期用の符号系列に対応する符号系列を、ADIPカウンタ１２５が初期化された後は、ADIPカウンタ１２５のカウンタ値に基づいて選択された符号系列を、対応するチップデータ列に乗積して、データビットを順次再生していく。
【０２１６】
その後、例えば、図１に示されるRUBU+9までの全てのADIP（それを構成する各データビット）が再生された場合、ステップＳ３５において、乗積部１２２は、全てのデータビットが再生されたと判定し、その処理を終了する。
【０２１７】
このように、ウォブルアドレス再生装置１０１は、高密度化をはかり、トラックピッチをつめた光ディスクであっても、ゴミや傷などの欠陥や、隣接トラック（他の層のトラック含む）のウォブル信号からのクロストークの影響によらず、ウォブルアドレス、即ち、アドレス情報やタイミング情報を確実に再生することが可能になる。
【０２１８】
なお、本明細書において、図８、並びに、図１０および図１１に記述されるステップは、その順序に沿って時系列的に行われる処理はもちろん、必ずしも時系列的に処理されなくとも、並列的あるいは個別に実行される処理をも含むものである。
【０２１９】
【発明の効果】
以上のごとく、本発明によれば、アドレスを情報記録媒体に記録し、それを再生することができる。また、本発明によれば、情報記録媒体の欠陥やクロストークの影響によらず、アドレスを確実に再生することができる。
【図面の簡単な説明】
【図１】本発明が適用される情報記録媒体に対するウォブルアドレスフォーマットを説明する図である。
【図２】本発明が適用される情報記録媒体に対するウォブルアドレスフォーマットを説明する図である。
【図３】本発明が適用される情報記録媒体に対するウォブルアドレスフォーマットを説明する図である。
【図４】本発明が適用される情報記録媒体に対するウォブルアドレスフォーマットを説明する図である。
【図５】本発明が適用される情報記録媒体に対するウォブルアドレスフォーマットを説明する図である。
【図６】本発明が適用されるウォブルアドレスカッティング装置の構成例を示すブロック図である。
【図７】図６のウォブルアドレスカッティング装置の乗積部が有するGOLD系列生成回路の構成例を示す図である。
【図８】図６のウォブルアドレスカッティング装置の動作を説明するフローチャートである。
【図９】本発明が適用されるウォブルアドレス再生装置の構成例を示すブロック図である。
【図１０】図６のウォブルアドレス再生装置の動作を説明するフローチャートである。
【図１１】図６のウォブルアドレス再生装置の動作を説明するフローチャートである。
【図１２】図６のウォブルアドレス再生装置の検出部の同期検出の動作を説明する図である。
【符号の説明】
２−１乃至２−３  ADIP，  １１，１２  ウォブル信号，  ３１  ウォブルアドレスカッティング装置，  ４１  ADIP生成部，  ４２  乗積部，  ４３，４４バイフェーズ変調部，  ４５  周波数変調部，  ４６  AO偏向部，  ４７  レーザ出射部，  ４８  照射部，  ４９  光ディスクの原盤，  ６１  GOLD系列生成回路，  １１１  信号検出部，  １１３  LPF/２値化部，  １１４  PLL部，１１５  カウンタ（６９進），  １１６  比較部，  １１７  検出部，  １１８  カウンタ（２進），  １１９  チップ列蓄積部，  １２０  乗積部群，  １２１  カウンタ（２８進），  １２２  乗積部，  １２３  データビット符号系列選択部，  １２４  カウンタ（８３進），  １２５  ADIPカウンタ，  １３１光ディスク，  b0乃至b82  データビット，  c0乃至c27  チップデータ，  M1，M2  M系列生成回路
【図１】
0004117531.tif 000002
【図２】
0004117531.tif 000003
【図３】
0004117531.tif 000004
【図４】
0004117531.tif 000005
【図５】
0004117531.tif 000006
【図６】
0004117531.tif 000007
【図７】
0004117531.tif 000008
【図８】
0004117531.tif 000009
【図９】
0004117531.tif 000010
【図１０】
0004117531.tif 000011
【図１１】
0004117531.tif 000012
【図１２】
0004117531.tif 000013